(57)【要約】【課題】  可動部を支持するシャフトを有する光ピックアップにおいて、磁気回路を構成する永久磁石を別途設ける必要性をなくして部品点数を少なくするとともに小型軽量化できる光ピックアップを提供する。【解決手段】  光ピックアップ１は、可動部３がシャフト４により支持されてフォーカス方向およびトラッキング方向に移動可能である。シャフト４自体を永久磁石により形成するとともに、シャフト対向コイルを構成するフォーカスコイル７を、シャフトを中心としてその外周面に対向してシャフトの磁界に配置し、シャフトとシャフト対向コイルとで構成される磁気回路により、可動部をフォーカス方向に移動させるようにした。【選択図】    図２
2006252595.tif 000002
【特許請求の範囲】
【請求項１】
光ディスクの記録面上に光を集光させるための対物レンズが設けられ、前記光ディスクに対する前記対物レンズの位置をフォーカスコイルとトラッキングコイルで調整可能な可動部が、シャフトにより支持されてフォーカス方向およびトラッキング方向に移動可能な光ピックアップであって、
前記シャフト自体を永久磁石により形成するとともに、シャフト対向コイルを構成する前記フォーカスコイルおよび前記トラッキングコイルの一方または両方を、前記シャフトを中心としてその外周面に対向してこのシャフトの磁界に配置し、
このシャフトと前記シャフト対向コイルとで構成される磁気回路により、前記可動部をフォーカス方向およびトラッキング方向のいずれか一方または両方に移動させるようにしたことを特徴とする光ピックアップ。
【請求項２】
前記シャフトは前記可動部およびヨーク部のいずれか一方に固定され、前記シャフト対向コイルは、前記可動部および前記ヨーク部のいずれか他方に取付けられていることを特徴とする請求項１に記載の光ピックアップ。
【請求項３】
前記シャフトの全体または一部は、その中心軸線方向の一方側と他方側がそれぞれＮ極とＳ極の永久磁石であり、
前記シャフト対向コイルをなして前記可動部を前記フォーカス方向に移動させるための前記フォーカスコイルは、前記シャフトとほぼ同心状に巻回されてこのシャフトの外周に配置された、一つの巻回部または前記中心軸線方向に並設された二つの巻回部からなっていることを特徴とする請求項１または２に記載の光ピックアップ。
【請求項４】
前記シャフトの磁力により前記フォーカスコイルが前記シャフトに対して相対的に前記フォーカス方向の中立位置に位置決め保持されるように、磁性体または永久磁石からなる中立保持部材を前記シャフトの磁界に設けたことを特徴とする請求項３に記載の光ピックアップ。
【請求項５】
前記シャフトの全体または一部は、その中心軸線と直交する方向の一方側と他方側がそれぞれＮ極とＳ極の永久磁石であり、
前記シャフト対向コイルをなして前記可動部を前記トラッキング方向に移動させるための前記トラッキングコイルを、このシャフトの外周に配置したことを特徴とする請求項１ないし４のいずれかの項に記載の光ピックアップ。
【発明の詳細な説明】
【技術分野】
【０００１】
本発明は、光ディスクの記録面上に対物レンズで光を集光させて情報の記録，再生などを行う光ピックアップにかかり、特に、可動部がシャフトにより支持されて移動可能な光ピックアップに関する。
【背景技術】
【０００２】
光ピックアップは、光ディスク再生装置および光ディスク記録再生装置などの光ディスク装置（たとえば、ＤＶＤレコーダー，ＣＤプレーヤー）に使用される。また、光ディスク装置はＰＣ（パーソナルコンピューター）にも搭載されている。
光ピックアップは、記録媒体である光ディスクの記録面上に光たとえばレーザー光を集光させて情報の記録，再生などを行う装置である。光ピックアップは移動可能な可動部を有しており、この可動部は、レーザー光を集光させるための対物レンズを有し、フォーカスコイルとトラッキングコイルで光ディスクに対する対物レンズの位置を調整する。
【０００３】
光ピックアップには、対物レンズが設けられた可動部がシャフトにより支持されて移動する構成のものがある。
たとえば、特許文献１（特開平７−７３４８７号公報）に開示された光ピックアップ装置は、対物レンズを保持するホルダと、このホルダを摺動自在で且つ回動自在に支持する支持軸（本発明におけるシャフトに相当）と、ホルダに設けられたトラッキング用駆動コイルおよびフォーカシング用駆動コイルと、これらのコイルに磁束を供給する駆動用マグネットとを有している。
【特許文献１】特開平７−７３４８７号公報
【発明の開示】
【発明が解決しようとする課題】
【０００４】
特許文献１に記載の光ピックアップ装置では、支持軸のほかに駆動用マグネットが必要であり、この駆動用マグネットと駆動コイルとで磁気回路を構成している。その結果、光ピックアップ装置の部品点数が多くなって構造が複雑になり、小型，軽量化が困難であった。
【０００５】
本発明は、このような課題を解決するためになされたもので、可動部を支持するシャフトを有する光ピックアップにおいて、磁気回路を構成する永久磁石を別途設ける必要性をなくして、部品点数を少なくするとともに小型軽量化できる光ピックアップを提供することを目的とする。
【課題を解決するための手段】
【０００６】
上述の目的を達成するため、本発明にかかる光ピックアップは、光ディスクの記録面上に光を集光させるための対物レンズが設けられ、前記光ディスクに対する前記対物レンズの位置をフォーカスコイルとトラッキングコイルで調整可能な可動部が、シャフトにより支持されてフォーカス方向およびトラッキング方向に移動可能な光ピックアップであって、前記シャフト自体を永久磁石により形成するとともに、シャフト対向コイルを構成する前記フォーカスコイルおよび前記トラッキングコイルの一方または両方を、前記シャフトを中心としてその外周面に対向してこのシャフトの磁界に配置し、このシャフトと前記シャフト対向コイルとで構成される磁気回路により、前記可動部をフォーカス方向およびトラッキング方向のいずれか一方または両方に移動させるようにしている。
前記シャフトは前記可動部およびヨーク部のいずれか一方に固定され、前記シャフト対向コイルは、前記可動部および前記ヨーク部のいずれか他方に取付けられているのが好ましい。
たとえば、前記シャフトの全体または一部は、その中心軸線方向の一方側と他方側がそれぞれＮ極とＳ極の永久磁石であり、前記シャフト対向コイルをなして前記可動部を前記フォーカス方向に移動させるための前記フォーカスコイルは、前記シャフトとほぼ同心状に巻回されてこのシャフトの外周に配置された、一つの巻回部または前記中心軸線方向に並設された二つの巻回部からなっているのが好ましい。
この場合、前記シャフトの磁力により前記フォーカスコイルが前記シャフトに対して相対的に前記フォーカス方向の中立位置に位置決め保持されるように、磁性体または永久磁石からなる中立保持部材を前記シャフトの磁界に設けるのが好ましい。
他の好ましい実施態様として、前記シャフトの全体または一部は、その中心軸線と直交する方向の一方側と他方側がそれぞれＮ極とＳ極の永久磁石であり、前記シャフト対向コイルをなして前記可動部を前記トラッキング方向に移動させるための前記トラッキングコイルを、このシャフトの外周に配置した場合であってもよい。
【発明の効果】
【０００７】
本発明の光ピックアップは、上述のように構成したので、磁気回路を構成する永久磁石を別途設ける必要性がなくなり、部品点数を少なくするとともに、光ピックアップ全体を小型軽量化することができる。
【発明を実施するための最良の形態】
【０００８】
光ピックアップには、対物レンズが可動部の中央部に配置された「レンズセンタータイプ」のものと、対物レンズが可動部の中央部より一方側に偏心して配置された「レンズオフセットタイプ」のものがある。
近年のＰＣの小型化，ポータブルタイプの普及などにより、光ディスク装置の小型化も急務になっている。そのため、光ディスク装置に搭載される光ピックアップに関しても、それ自体の小型化，薄型化，軽量化の要求がますます厳しくなってきている。
上述のレンズセンタータイプの光ピックアップと比べて、レンズオフセットタイプの光ピックアップは、対物レンズの下部にスペースがある。この下部スペースに光学系の反射ミラーなどを配置することができるので、薄型化の点ではレンズオフセットタイプの光ピックアップの方が有利である。
【０００９】
本発明では、このようなレンズオフセットタイプで且つ可動部をシャフトで支持する構成の光ピックアップにおいて、磁気回路を構成する永久磁石を別途設ける必要性をなくして部品点数を少なくし小型軽量化するという目的を、シャフト自体を永久磁石により形成するとともに、フォーカスコイルおよびトラッキングコイルの一方または両方のシャフト対向コイルを、シャフトを中心としてその外周面に対向してシャフトの磁界内に配置し、このシャフトとシャフト対向コイルとで構成される磁気回路により、可動部をフォーカス方向およびトラッキング方向のいずれか一方または両方に移動させることにより実現している。
【実施例】
【００１０】
以下、本発明にかかる実施例を、図１ないし図９を参照して説明する。
図１ないし図３（Ａ）は第１の実施例を示す図で、図１，図２は、それぞれ光ピックアップの斜視図，平面図、図３（Ａ）は図２のIII−III線断面図である。図３（Ｂ）は、第１の実施例の変形例を示す断面図で、図３（Ａ）相当図である。図４（Ａ），（Ｂ）は、それぞれ第２の実施例，その変形例を示す断面図で、図３（Ａ）相当図である。
図５（Ａ），（Ｂ），（Ｃ）は、それぞれ本発明の原理を示す図で、シャフトの斜視図，正面図，断面図である。図６（Ａ），（Ｂ）は、可動部を位置決めするための構成を示す図、図７（Ａ），（Ｂ）は、それぞれ可動部を位置決めするための変形例を示すシャフトまわりの斜視図，正面図である。図８（Ａ），（Ｂ），（Ｃ），（Ｄ）は、それぞれ他の変形例にかかるシャフトまわりの分解斜視図，組立図，シャフトの平面図，シャフトまわりの平面図である。図９は、さらに他の変形例にかかるシャフトまわりの分解斜視図である。
【００１１】
図１ないし図５において、光ディスク装置（図示せず）に使用される光ピックアップ１（または、光ピックアップ１ａ〜１ｃ）は、移動機構（図示せず）により、記録媒体である光ディスクの半径方向に制御されつつ移動可能になっている。
光ディスク装置において、光ディスクを駆動モータで回転駆動するとともに、移動機構で所望の位置に光ピックアップを移動させる。そして、光ピックアップは、光ディスクの記録面上に対物レンズ２で光（たとえば、レーザー光）を集光させて、光ディスクに対して情報の記録，再生などを行う。
光ピックアップ１（または、光ピックアップ１ａ〜１ｃ）は、対物レンズ２が可動部３（または、可動部３ａ〜３ｃ）の中央部より一方側に偏心して配置された「レンズオフセットタイプ」の光ピックアップである。光ピックアップ１（または、光ピックアップ１ａ〜１ｃ）は、可動部３（または、可動部３ａ〜３ｃ）とヨーク部（継鉄部）６（または、ヨーク部６ａ〜６ｃ）などを備えている。
光ディスクとしては、ＤＶＤ−ＲＯＭ，ＤＶＤ−ＲＡＭ，ＤＶＤ−Ｒ，ＤＶＤ−ＲＷ，ＣＤ，ＣＤ−ＲＯＭ，ＣＤ−Ｒ，ＣＤ−ＲＷ，ＭＤ，ＭＯなどがある。
【００１２】
図１〜図３（Ａ）に示す第１の実施例にかかる光ピックアップ１において、可動部３には、フォーカスコイル７およびトラッキングコイル８と、光ディスクの記録面上にレーザー光などの光を集光させるための対物レンズ２とが設けられている。可動部３のフォーカスコイル７とトラッキングコイル８にそれぞれ電流を流すことにより、光ディスクに対する対物レンズ２の位置を調整可能である。
光ピックアップ１は、可動部３にコイル７，８が取付けられて移動するので、「コイル移動（moving coil）タイプ（いわゆる、ＭＣタイプ）」と呼ばれている。
【００１３】
光ピックアップ１は、シャフト４がヨーク部６に固定され、フォーカスコイル７が可動部３に取付けられている。すなわち、シャフト４は、ヨーク部６に固定して支持されている。
可動部３は、ヨーク部６に支持されたシャフト４により回転可能に且つ上下動可能に保持されている。すなわち、可動部３は、フォーカス方向（対物レンズ２の光軸Ｂと平行な方向）とトラッキング方向（光ディスクの半径方向）に移動可能である。
シャフト４自体は永久磁石により形成されている。シャフト４の全体は、その中心軸線ＣＬ方向の一方側と他方側がそれぞれＮ極とＳ極になっている。フォーカスコイル７は、シャフト４を中心としてその外周面に対向してシャフト４の磁界に配置されて、シャフト対向コイルを構成している。
【００１４】
永久磁石からなるシャフト４と、シャフト対向コイル（フォーカスコイル７）とで構成される磁気回路により、可動部３をフォーカス方向に移動させるようにしている。
したがって、可動部３を支持するシャフト４を有する光ピックアップ１では、フォーカスコイル７に対向して磁気回路を構成するための永久磁石を、シャフト４とは別途設ける必要がなくなる。これにより、光ピックアップ１における部品点数が少なくなって、光ピックアップ全体が小型軽量化される。
【００１５】
シャフト４は、ヨーク部６に固定され、対物レンズ２の光軸Ｂと平行な方向を向いて配置されている。フォーカスコイル７は、可動部３に取付けられている。フォーカスコイル７は、シャフト４の磁束が鎖交するように配置されている。
フォーカスコイル７は、その巻軸が対物レンズ２の光軸Ｂと平行になるように、可動部３に設けられている。フォーカスコイル７の巻線は、シャフト４と同軸方向を中心に巻回されている。
トラッキングコイル８は、空心コイルでその巻軸の方向が光軸Ｂと直交する方向を向いており、可動部３に取付けられている。
【００１６】
ヨーク部６は、磁性体により一体形成されている。ヨーク部６は、シャフト４に対して直角な方向を向くヨーク基台９と、ヨーク基台９に対して直角に一体固定され、シャフト４と平行な方向を向く立ち上がり部１０とを有している。
立ち上がり部１０に永久磁石１１が取付けられ、この永久磁石１１が、可動部３に取付けられたトラッキングコイル８と対向して配置されている。トラッキングコイル８と永久磁石１１とで、可動部３をトラッキング方向に駆動するための磁気回路が構成されている。トラッキングコイル８は、永久磁石１１の磁束が鎖交するように配置されている。
【００１７】
シャフト対向コイルをなして可動部３をフォーカス方向に移動させるためのフォーカスコイル７は、中心軸線ＣＬ方向に並設された二つの巻回部１２からなっている。巻回部１２は、シャフト４とほぼ同じ同心状に巻回されて、シャフト４の外周に配置されている。
フォーカスコイル７が、二つの巻回部１２からなっているので、磁力が大きくなって可動部３を強い駆動力でフォーカス方向に移動させることができる。
光ピックアップ１は、コイル７，８が可動部３と一体的に移動するとともに、フォーカスコイル７が二つの巻回部１２を有しているので、「ＭＣダブル駆動タイプ」である。
【００１８】
フォーカスコイル７に電流を流せば、可動部３をフォーカス方向に移動させることができる。トラッキングコイル８に電流を流せば、可動部３をトラッキング方向に移動させることができる。
【００１９】
可動部３は、所定形状の本体部２０を有しており、本体部２０は、絶縁性を有する樹脂材料などにより一体的に形成されている。
対物レンズ２およびトラッキングコイル８などは、本体部２０の所定位置に設けられている。本体部２０には、ヨーク基台９の方向に向けて、円筒状の突出部２１が一体的にまたは別体で固定されている。
突出部２１の円筒状の内周面にシャフト４が遊嵌している。シャフト４に対して、本体部２０が回転自在に且つ中心軸線ＣＬ方向に移動自在になっている。突出部２１にはフォーカスコイル７の巻線が巻回されて、二つの巻回部１２が形成されている。フォーカスコイル７の巻回部１２が二つあるので、シャフト４のＮ極とＳ極の両方の磁力を有効に使って、可動部３をフォーカス方向に駆動することができる。
【００２０】
光ピックアップ１では、磁性体または永久磁石からなる中立保持部材２２が、シャフト４の磁界に設けられている。シャフト４と中立保持部材２２との間の磁力により、フォーカスコイル７が、シャフト４に対して相対的にフォーカス方向の中立位置に位置決め保持される。
この中立保持部材２２は、シャフト４のＮ極とＳ極の中間の位置に引っ張られるので、可動部３は、中立保持部材２２を介して、フォーカス方向の中立位置に浮上した状態で位置決め保持される。すなわち、中立保持部材２２は、二つの巻回部１２の間に配置されて、シャフト４のほぼ中央部に位置するようになっている。
【００２１】
光ピックアップ１において、磁性体からなるトラッキング方向位置決め用ヨーク２３が、可動部３に取付けられ、トラッキングコイル８と永久磁石１１とによる磁界に配置されている。トラッキング方向位置決め用ヨーク２３は、トラッキングコイル８の中心を向いて、中立保持部材２２に一体的にまたは別体で固定され、可動部３の構成部材になっている。
トラッキング方向位置決め用ヨーク２３を設けたので、トラッキングコイル８に電流を供給しないときは、永久磁石１１とトラッキング方向位置決め用ヨーク２３は、両者間の磁力により互いに引っ張られる。これにより、可動部３は、トラッキング方向の中立位置に位置決め保持される。
【００２２】
可動部３は、シャフト４と中立保持部材２２との間で作用する磁力により、空間に浮いている格好で保持されている。可動部３は、中心軸線ＣＬ方向すなわちフォーカス方向への移動動作と、中心軸線ＣＬまわりに揺動してトラッキング方向に移動する移動動作とを行なって、可動部３の位置を自在に変化させることができる。
可動部３は、フォーカスコイル７とトラッキングコイル８に電流が供給されていないときの中立位置（基本位置）から、フォーカスコイル７とトラッキングコイル８の一方または両方に電流を供給することにより、フォーカス方向やトラッキング方向に移動（シフト）することができる。
フォーカスコイル７とトラッキングコイル８は、プリント配線板（図示せず）によって制御部（図示せず）に電気的に接続されている。
【００２３】
光ピックアップ１は光学系を有しており、この光学系は、レーザー光を発生する半導体レーザーなど光源，光検出器，反射ミラー，レンズおよび回折格子などを有している。対物レンズ２もこの光学系に含まれる。反射ミラーなどは対物レンズ２の下方のスペースに収納されているので、光ピックアップ１全体を薄型化することができる。
光検出器は、光ディスクの記録面で反射したレーザー光を受光し、再生信号を検出するとともにエラー信号なども検出する。
【００２４】
次に、本発明の原理について説明する。なお、光ピックアップ１を例にとって本発明の原理を示すが、他の実施例，変形例においても原理は同じである。
図５（Ａ）に示すように、フォーカスコイル７は、永久磁石からなるシャフト４と同軸方向を中心に巻線が巻回されている。シャフト４の表面近傍の磁束は図５（Ｂ）に示すとおりであり、シャフトのＮ極とＳ極との間が中性点Ｐ1になっている。
図５（Ｃ）に示すように、フォーカスコイル７は、シャフト４の周囲に同心状に配置されている。したがって、フォーカスコイル７に電流を流すと、電流の方向により一方向の力Ｆaまたは逆方向の力Ｆbが発生して、可動部３がフォーカス方向に移動動作する。
図５（Ｃ）から分かるように、本発明では、フォーカスコイル７の全体を無駄なく使って駆動力Ｆa，Ｆbが発生するので、フォーカスコイル７の効率がよく、またフォーカス方向に大きな駆動力Ｆa，Ｆbを得ることができる。
本実施例では、固定側のシャフト４に対して、フォーカスコイル７を有する可動部３が、駆動力Ｆa，Ｆbによりフォーカス方向に移動する。
【００２５】
次に、光ピックアップ１の動作について説明する。
まず、光ディスク装置において、光ディスクが駆動モータにより回転駆動されている状態で、移動機構により光ピックアップ１を所望の位置に移動させる。そして、光学系で発生したレーザー光を反射ミラーなどを介して対物レンズ２で記録面上に集光させて、光ディスクに対して情報の記録，再生などを行う。
光ピックアップ１の状態（可動部３の位置，方向など）を制御する場合には、光検出器で検出された光ディスクの光信号を変換部で電気信号に変換し、この電気信号を制御部に出力する。制御部では、変換部から出力された電気信号に基づいて、フォーカスコイル７に流す電流とトラッキングコイル８に流す電流をそれぞれ制御する。
【００２６】
対物レンズ２をフォーカス方向に移動させる場合には、制御部は、移動すべき方向および移動量に応じた制御電流をフォーカスコイル７に供給する。すると、フォーカスコイル７により生じる電磁力により、可動部３が、光ディスクに対してフォーカス方向に移動して、対物レンズ２の位置を調整する。
同様に、トラッキングコイル８に供給する電流を制御すれば、トラッキングコイル８により生じる電磁力により、可動部３が、光ディスクのトラッキング方向に移動して、対物レンズ２の位置を調整する。
このようにして、可動部３は、フォーカス方向，トラッキング方向にそれぞれ移動するようにその位置が制御される。
【００２７】
次に、第１の実施例の変形例について、図３（Ｂ）を参照して説明する。
図３（Ｂ）に示す光ピックアップ１ａは、シャフト４がヨーク部６ａに固定され、フォーカスコイル７ａが可動部３ａに取付けられている。
可動部３ａには、フォーカスコイル７ａおよびトラッキングコイル８と、対物レンズ２とが設けられている。可動部３ａのフォーカスコイル７ａとトラッキングコイル８にそれぞれ電流を流すことにより、光ディスクに対する対物レンズ２の位置を調整可能である。
光ピックアップ１ａも、可動部３ａにコイル７ａ，８が取付けられて移動するので、「ＭＣタイプ」である。
【００２８】
シャフト４はヨーク部６ａに固定して支持され、シャフト４自体は永久磁石により形成されている。シャフト４の全体は、その中心軸線ＣＬ方向の一方側と他方側がそれぞれＮ極とＳ極になっている。また、シャフト対向コイルを構成するフォーカスコイル７ａは、シャフト４を中心としてその外周面に対向してシャフト４の磁界に配置されている。
可動部３ａは、ヨーク部６ａに支持されたシャフト４により回転可能に且つ上下動可能に保持されている。すなわち、可動部３ａは、フォーカス方向とトラッキング方向に移動可能である。
【００２９】
シャフト４とシャフト対向コイル（フォーカスコイル７ａ）とで構成される磁気回路により、可動部３ａをフォーカス方向に移動させるようにしている。
したがって、可動部３ａを支持するシャフト４を有する光ピックアップ１ａでは、フォーカスコイル７ａに対向して磁気回路を構成するための永久磁石を、シャフト４とは別途設ける必要がなくなる。これにより、光ピックアップ１ａにおける部品点数が少なくなって、光ピックアップ全体が小型軽量化される。
【００３０】
シャフト４は、ヨーク部６ａに固定され、対物レンズ２の光軸Ｂと平行な方向を向いて配置されている。シャフト対向コイル（フォーカスコイル７ａ）は、可動部３ａに取付けられている。
フォーカスコイル７ａと、永久磁石からなるシャフト４とで、可動部３ａをフォーカス方向に駆動するための磁気回路が構成されている。フォーカスコイル７ａは、シャフト４の磁束が鎖交するように配置されている。
フォーカスコイル７ａは、その巻軸が対物レンズ２の光軸Ｂと平行になるように、可動部３ａに設けられている。フォーカスコイル７ａの巻線は、シャフト４と同軸方向を中心に巻回されている。
トラッキングコイル８は、空心コイルでその巻軸の方向がフォーカスコイル７ａと直交する方向を向いており、可動部３ａに取付けられている。
【００３１】
ヨーク部６ａは、磁性体により一体形成されている。ヨーク部６ａは、シャフト４に対して直角な方向を向くヨーク基台９と、ヨーク基台９に対して直角に一体固定され、シャフト４と平行な方向を向く立ち上がり部１０とを有している。
立ち上がり部１０に永久磁石１１が取付けられ、この永久磁石１１が、可動部３ａに取付けられたトラッキングコイル８と対向して配置されている。トラッキングコイル８と永久磁石１１とで、可動部３ａをトラッキング方向に駆動するための磁気回路が構成されている。トラッキングコイル８は、永久磁石１１の磁束が鎖交するように配置されている。
【００３２】
シャフト対向コイルをなして可動部３ａをフォーカス方向に移動させるためのフォーカスコイル７ａは、一つの巻回部１２ａからなっている。巻回部１２ａは、シャフト４とほぼ同じ同心状に巻回されてシャフト４の外周に配置されている。フォーカスコイル７ａが一つの巻回部１２ａからなっているので、光ピックアップ１ａが薄型化する。
光ピックアップ１ａは、コイル７ａ，８が可動部３ａと一体的に移動するとともに、フォーカスコイル７ａは一つの巻回部１２ａを有しているので、「ＭＣシングル駆動タイプ」である。
【００３３】
光ピックアップ１ａにおいて、フォーカスコイル７ａに電流を流せば、可動部３ａをフォーカス方向に移動させることができる。トラッキングコイル８に電流を流せば、可動部３ａをトラッキング方向に移動させることができる。
【００３４】
可動部３ａは所定形状の本体部２０ａを有しており、本体部２０ａは、絶縁性を有する樹脂材料などにより一体的に形成されている。
対物レンズ２およびトラッキングコイル８などは、本体部２０ａの所定位置に設けられている。本体部２０ａには、ヨーク基台９の方向に向けて、円筒状の突出部２１ａが一体的にまたは別体で固定されている。
突出部２１ａの円筒状の内周面にシャフト４が遊嵌している。シャフト４に対して、本体部２０ａが回転自在に且つ中心軸線ＣＬ方向に移動自在になっている。突出部２１ａには、フォーカスコイル７ａの巻線が巻回されて、一つの巻回部１２ａが形成されている。
光ピックアップ１ａでは、シャフト４の一方の極（ここでは、Ｎ極）のみの磁力を使って可動部３ａをフォーカス方向に駆動している。
【００３５】
光ピックアップ１ａでは、磁性体または永久磁石からなる中立保持部材２２ａを、シャフト４の磁界に設けている。シャフト４と中立保持部材２２ａとの間の磁力により、フォーカスコイル７ａがシャフト４に対して相対的にフォーカス方向の中立位置に位置決め保持される。
中立保持部材２２ａは、シャフト４のＮ極とＳ極の中間の位置に引っ張られるので、可動部３ａは、中立保持部材２２ａを介して、フォーカス方向の中立位置に浮上した状態で位置決め保持される。
【００３６】
光ピックアップ１ａにおいて、磁性体からなるトラッキング方向位置決め用ヨーク２３ａが、可動部３ａに取付けられ、トラッキングコイル８と永久磁石１１とによる磁界に配置されている。
トラッキング方向位置決め用ヨーク２３ａは、トラッキングコイル８の中心を向いて、中立保持部材２２ａに一体的にまたは別体で固定され、可動部３ａの構成部材になっている。
トラッキング方向位置決め用ヨーク２３ａを設けたので、トラッキングコイル８に電流を供給しないときは、永久磁石１１とトラッキング方向位置決め用ヨーク２３ａは、両者間の磁力により互いに引っ張られる。これにより、可動部３ａは、トラッキング方向の中立位置に位置決め保持される。
【００３７】
可動部３ａは、シャフト４と中立保持部材２２ａとの間で作用する磁力により、空間に浮いている格好で保持されている。可動部３ａは、中心軸線ＣＬ方向すなわちフォーカス方向への移動動作と、中心軸線ＣＬまわりに揺動してトラッキング方向に移動する移動動作とを行なって、可動部３ａの位置を自在に変化させることができる。
可動部３ａは、フォーカスコイル７ａとトラッキングコイル８に電流が供給されていないときの中立位置（基本位置）から、フォーカスコイル７ａとトラッキングコイル８の一方または両方に電流を供給することにより、フォーカス方向やトラッキング方向に移動することができる。
フォーカスコイル７ａとトラッキングコイル８は、プリント配線板（図示せず）によって制御部（図示せず）に電気的に接続されている。
なお、光ピックアップ１ａは、上述の光ピックアップ１と同じ光学系を有して同じ作用効果を奏する。
【００３８】
光ピックアップ１ａの動作について説明すると、移動機構により光ピックアップ１ａを所望の位置に移動させ、レーザー光を対物レンズ２で記録面上に集光させて、光ディスクに対して情報の記録，再生などを行う。
光ピックアップ１ａの状態（可動部３ａの位置，方向など）を制御する場合には、光ディスクの光信号を変換部で電気信号に変換し、この電気信号を制御部に出力する。制御部では、この電気信号に基づいて、フォーカスコイル７ａに流す電流とトラッキングコイル８に流す電流をそれぞれ制御する。
対物レンズ２をフォーカス方向に移動させる場合には、制御部は、移動すべき方向および移動量に応じた制御電流をフォーカスコイル７ａに供給する。すると、フォーカスコイル７ａにより生じる電磁力により、可動部３ａがフォーカス方向に移動して、対物レンズ２の位置を調整する。
同様に、トラッキングコイル８に供給する電流を制御すれば、トラッキングコイル８により生じる電磁力により、可動部３ａがトラッキング方向に移動して、対物レンズ２の位置を調整する。
このようにして、可動部３ａは、フォーカス方向，トラッキング方向にそれぞれ移動するようにその位置が制御される。
【００３９】
次に、第２の実施例とその変形例について、図４（Ａ），（Ｂ）を参照して説明する。
図４（Ａ）は、永久磁石からなるシャフト４ｂが可動部３ｂに固定され、フォーカスコイル７ｂがヨーク部６ｂに取付けられた第２の実施例を示している。図４（Ｂ）は、シャフト４ｂが可動部３ｃに固定され、フォーカスコイル７ｃがヨーク部６ｃに取付けられた、第２の実施例の変形例を示している。
【００４０】
図４（Ａ）に示す第２の実施例にかかる光ピックアップ１ｂにおいて、可動部３ｂには、対物レンズ２は設けられているが、コイルは設けられていない。フォーカスコイル７ｂとトラッキングコイル８は、ヨーク部６ｂに設けられている。ヨーク部６ｂのフォーカスコイル７ｂとトラッキングコイル８にそれぞれ電流を流すことにより、光ディスクに対する対物レンズ２の位置を調整可能である。
光ピックアップ１ｂは、永久磁石からなるシャフト４ｂと永久磁石１１とが可動部３ｂに取付けられて移動するので、「マグネット移動（moving magnet）タイプ（いわゆる、ＭＭタイプ）」と呼ばれている。
【００４１】
可動部３ｂは、ヨーク部６ｂに対してシャフト４ｂにより回転可能に且つ上下動可能に保持されている。すなわち、可動部３ｂは、フォーカス方向とトラッキング方向に移動可能である。
シャフト４ｂ自体は永久磁石により形成されている。シャフト４ｂの全体は、その中心軸線ＣＬ方向の一方側と他方側がそれぞれＮ極とＳ極になっている。また、シャフト対向コイルを構成するフォーカスコイル７ｂは、シャフト４ｂを中心としてその外周面に対向してシャフト４ｂの磁界に配置されている。
【００４２】
その結果、シャフト４ｂとシャフト対向コイル（フォーカスコイル７ｂ）とで構成される磁気回路により、可動部３ｂをフォーカス方向に移動させることができる。
したがって、可動部３ｂを支持するシャフト４ｂを有する光ピックアップ１ｂでは、フォーカスコイル７ｂに対向して磁気回路を構成するための永久磁石を、シャフト４ｂとは別途設ける必要がなくなる。これにより、光ピックアップ１ｂにおける部品点数が少なくなって、光ピックアップ全体が小型軽量化される。
【００４３】
シャフト４ｂは、可動部３ｂに固定され、対物レンズ２の光軸Ｂと平行な方向を向いて配置されている。シャフト対向コイル（フォーカスコイル７ｂ）は、ヨーク部６ｂに取付けられている。
フォーカスコイル７ｂと、永久磁石からなるシャフト４ｂとで、可動部３ｂをフォーカス方向に駆動するための磁気回路が構成されている。フォーカスコイル７ｂは、シャフト４ｂの磁束が鎖交するように配置されている。
フォーカスコイル７ｂは、その巻軸が対物レンズ２の光軸Ｂと平行になるように、ヨーク部６ｂに設けられている。フォーカスコイル７ｂの巻線は、シャフト４ｂと同軸方向を中心に巻回されている。
トラッキングコイル８は、空心コイルでその巻軸の方向がフォーカスコイル７ｂと直交する方向を向いており、ヨーク部６ｂに取付けられている。
【００４４】
ヨーク部６ｂは、磁性体により一体形成されている。ヨーク部６ｂは、シャフト４ｂに対して直角な方向を向くヨーク基台９と、ヨーク基台９に対して直角に一体固定され、シャフト４ｂと平行な方向を向く立ち上がり部１０とを有している。
立ち上がり部１０にトラッキングコイル８が取付けられ、このトラッキングコイル８が、可動部３ｂに取付けられた永久磁石１１と対向して配置されている。トラッキングコイル８と永久磁石１１とで、可動部３ｂをトラッキング方向に駆動するための磁気回路が構成されている。トラッキングコイル８は、永久磁石１１の磁束が鎖交するように配置されている。
【００４５】
シャフト対向コイルをなして可動部３ｂをフォーカス方向に移動させるためのフォーカスコイル７ｂは、中心軸線ＣＬ方向に並設された二つの巻回部１２ｂからなっている。巻回部１２ｂは、シャフト４ｂとほぼ同じ同心状に巻回されてシャフト４ｂの外周に配置されている。
フォーカスコイル７ｂが、二つの巻回部１２ｂからなっているので、磁力が大きくなって、可動部を強い駆動力でフォーカス方向に移動させることができる。
光ピックアップ１ｂは、永久磁石からなるシャフト４ｂと永久磁石１１とが一体的に移動するとともに、フォーカスコイル７ｂが二つの巻回部１２ｂを有しているので、「ＭＭダブル駆動タイプ」である。
【００４６】
光ピックアップ１ｂにおいて、フォーカスコイル７ｂに電流を流せば、可動部３ｂをフォーカス方向に移動させることができる。トラッキングコイル８に電流を流せば、可動部３ｂをトラッキング方向に移動させることができる。
可動部３ｂは、所定形状の本体部２０ｂを有しており、本体部２０ｂは、絶縁性を有する樹脂材料などにより一体的に形成されている。対物レンズ２および永久磁石１１などは、本体部２０ｂの所定位置に設けられている。シャフト４ｂは、本体部２０ｂに直角に固定されている。
ヨーク基台９には、円筒状の突出部２１ｂが一体的にまたは別体で固定されている。シャフト４ｂは、突出部２１ｂの内周面に回転自在に嵌合するとともに、中心軸線ＣＬ方向に移動自在になっている。突出部２１ｂには、フォーカスコイル７ｂの巻線が巻回されて、二つの巻回部１２ｂが形成されている。
【００４７】
光ピックアップ１ｂでは、フォーカスコイル７ｂの巻回部１２ｂが二つある。その結果、シャフト４ｂのＮ極とＳ極の両方の磁力を有効に使って、可動部３ｂをフォーカス方向に駆動することができる。
磁性体または永久磁石からなる中立保持部材２２ｂが、シャフト４ｂの磁界に設けられている。中立保持部材２２ｂは、二つの巻回部１２ｂの間に配置されて、シャフト４ｂのほぼ中央部に位置するようになっている。
シャフト４ｂと中立保持部材２２ｂとの間の磁力により、フォーカスコイル７ｂが、シャフト４ｂに対して相対的にフォーカス方向の中立位置に位置決め保持される。中立保持部材２２ｂは、シャフト４ｂのＮ極とＳ極の中間の位置に引っ張られるので、可動部３ｂは、中立保持部材２２ｂを介して、フォーカス方向の中立位置に浮上した状態で位置決め保持される。
【００４８】
光ピックアップ１ｂにおいて、磁性体からなるトラッキング方向位置決め用ヨーク２３ｂが、ヨーク基台６ｂに取付けられ、トラッキングコイル８と永久磁石１１とによる磁界に配置されている。
トラッキング方向位置決め用ヨーク２３ｂは、トラッキングコイル８の中心を向いて、中立保持部材２２ｂに一体的にまたは別体で固定されて、ヨーク部６ｂの構成部材になっている。トラッキング方向位置決め用ヨーク２３ｂは、ヨーク部６ｂ側に設けられているので移動動作は行わない。
トラッキング方向位置決め用ヨーク２３ｂを設けたので、トラッキングコイル８に電流を供給しないときは、永久磁石１１とトラッキング方向位置決め用ヨーク２３ｂは、両者間の磁力により互いに引っ張られる。これにより、可動部３ｂは、トラッキング方向の中立位置に位置決め保持される。
【００４９】
可動部３ｂは、シャフト４ｂと中立保持部材２２ｂとの間で作用する磁力により、空間に浮いている格好で保持されている。可動部３ｂは、中心軸線ＣＬ方向すなわちフォーカス方向への移動動作と、中心軸線ＣＬまわりに揺動してトラッキング方向に移動する移動動作とを行なって、可動部３ｂの位置を自在に変化させることができる。
可動部３ｂは、フォーカスコイル７ｂとトラッキングコイル８に電流が供給されていないときの中立位置（基本位置）から、フォーカスコイル７ｂとトラッキングコイル８の一方または両方に電流を供給することにより、フォーカス方向やトラッキング方向に移動することができる。
フォーカスコイル７ｂとトラッキングコイル８は、プリント配線板（図示せず）によって制御部（図示せず）に電気的に接続されている。
なお、光ピックアップ１ｂは、上述の光ピックアップ１と同じ光学系を有して同じ作用効果を奏する。
【００５０】
光ピックアップ１ｂの動作について説明すると、移動機構により光ピックアップ１ｂを所望の位置に移動させ、レーザー光を対物レンズ２で記録面上に集光させて、光ディスクに対して情報の記録，再生などを行う。
光ピックアップ１ｂの状態（可動部３ｂの位置，方向など）を制御する場合には、光ディスクの光信号を変換部で電気信号に変換し、この電気信号を制御部に出力する。制御部では、この電気信号に基づいて、フォーカスコイル７ｂに流す電流とトラッキングコイル８に流す電流をそれぞれ制御する。
対物レンズ２をフォーカス方向に移動させる場合には、制御部は、移動すべき方向および移動量に応じた制御電流をフォーカスコイル７ｂに供給する。すると、フォーカスコイル７ｂにより生じる電磁力により、可動部３ｂがフォーカス方向に移動して、対物レンズ２の位置を調整する。
同様に、トラッキングコイル８に供給する電流を制御すれば、トラッキングコイル８により生じる電磁力により、可動部３ｂがトラッキング方向に移動して、対物レンズ２の位置を調整する。
このようにして、可動部３ｂは、フォーカス方向，トラッキング方向にそれぞれ移動するようにその位置が制御される。
【００５１】
次に、第２の実施例の変形例について、図４（Ｂ）を参照して説明する。
図４（Ｂ）に示す光ピックアップ１ｃにおいて、可動部３ｃには、対物レンズ２は設けられているが、コイルは設けられていない。フォーカスコイル７ｃとトラッキングコイル８は、ヨーク部６ｃに設けられている。ヨーク部６ｃのフォーカスコイル７ｃとトラッキングコイル８にそれぞれ電流を流すことにより、光ディスクに対する対物レンズ２の位置を調整可能である。
光ピックアップ１ｃも、永久磁石からなるシャフト４ｂと永久磁石１１とが可動部３ｃに取付けられて磁石が移動するので、「ＭＭタイプ」である。
【００５２】
可動部３ｃは、ヨーク部６ｃに対してシャフト４ｂにより回転可能に且つ上下動可能に保持されている。すなわち、可動部３ｃは、フォーカス方向とトラッキング方向に移動可能である。
シャフト４ｂ自体は永久磁石により形成されている。シャフト４ｂの全体は、その中心軸線ＣＬ方向の一方側と他方側がそれぞれＮ極とＳ極になっている。シャフト対向コイルを構成するフォーカスコイル７ｃは、シャフト４ｂを中心としてその外周面に対向してシャフト４ｂの磁界に配置されている。
【００５３】
その結果、シャフト４ｂとシャフト対向コイル（フォーカスコイル７ｃ）とで構成される磁気回路により、可動部３ｃをフォーカス方向に移動させるようにしている。
したがって、可動部３ｃを支持するシャフト４ｂを有する光ピックアップ１ｃでは、フォーカスコイル７ｃに対向して磁気回路を構成するための永久磁石を、シャフト４ｂとは別途設ける必要がなくなる。これにより、光ピックアップ１ｃにおける部品点数が少なくなって、光ピックアップ全体が小型軽量化される。
【００５４】
シャフト４ｂは、可動部３ｃに固定され、対物レンズ２の光軸Ｂと平行な方向を向いて配置されている。フォーカスコイル７ｃは、ヨーク部６ｃに取付けられている。
フォーカスコイル７ｃと、永久磁石からなるシャフト４ｂとで、可動部３ｃをフォーカス方向に駆動するための磁気回路が構成されている。フォーカスコイル７ｃは、シャフト４ｂの磁束が鎖交するように配置されている。
フォーカスコイル７ｃは、その巻軸が対物レンズ２の光軸Ｂと平行になるように、ヨーク部６ｃに設けられている。フォーカスコイル７ｃの巻線は、シャフト４ｂと同軸方向を中心に巻回されている。
トラッキングコイル８は、空心コイルでその巻軸の方向がフォーカスコイル７ｃと直交する方向を向いており、ヨーク部６ｃに取付けられている。
【００５５】
ヨーク部６ｃは、磁性体により一体形成されている。ヨーク部６ｃは、シャフト４ｂに対して直角な方向を向くヨーク基台９と、ヨーク基台９に対して直角に一体固定され、シャフト４ｂと平行な方向を向く立ち上がり部１０とを有している。
立ち上がり部１０にトラッキングコイル８が取付けられ、このトラッキングコイル８が、可動部３ｃに取付けられた永久磁石１１と対向して配置されている。トラッキングコイル８と永久磁石１１とで、可動部３ｃをトラッキング方向に駆動するための磁気回路が構成されている。トラッキングコイル８は、永久磁石１１の磁束が鎖交するように配置されている。
【００５６】
シャフト対向コイルをなして可動部３ｃをフォーカス方向に移動させるためのフォーカスコイル７ｃは、一つの巻回部１２ｃからなっている。巻回部１２ｃは、シャフト４ｂとほぼ同じ同心状に巻回されてシャフト４ｂの外周に配置されている。フォーカスコイル７ｃが一つの巻回部１２ｃからなっているので、光ピックアップ１ｃが薄型化する。
光ピックアップ１ｃは、永久磁石からなるシャフト４ｂと永久磁石１１とが一体的に移動するとともに、フォーカスコイル７ｃが一つの巻回部１２ｃを有しているので、「ＭＭシングル駆動タイプ」である。
【００５７】
光ピックアップ１ｃにおいて、フォーカスコイル７ｃに電流を流せば、可動部３ｃをフォーカス方向に移動させることができる。トラッキングコイル８に電流を流せば、可動部３ｃをトラッキング方向に移動させることができる。
【００５８】
可動部３ｃは、所定形状の本体部２０ｃを有しており、本体部２０ｃは、絶縁性を有する樹脂材料などにより一体的に形成されている。対物レンズ２および永久磁石１１などは、本体部２０ｃの所定位置に設けられている。シャフト４ｂは、本体部２０ｃに直角に固定されている。
ヨーク基台９には、円筒状の突出部２１ｃが一体的にまたは別体で固定されている。シャフト４ｂは、突出部２１ｃの内周面に回転自在に挿入されるとともに、中心軸線ＣＬ方向に移動自在になっている。突出部２１ｃには、フォーカスコイル７ｃの巻線が巻回されて、一つの巻回部１２ｃが形成されている。
光ピックアップ１ｃは、シャフト４ｂの他方の極（ここでは、Ｓ極）の磁力を使って可動部３ｃをフォーカス方向に駆動している。
【００５９】
光ピックアップ１ｃでは、磁性体または永久磁石からなる中立保持部材２２ｃを、シャフト４ｂの磁界に設けている。シャフト４ｂと中立保持部材２２ｃとの間の磁力により、フォーカスコイル７ｃがシャフト４ｂに対して相対的にフォーカス方向の中立位置に位置決め保持される。
中立保持部材２２ｃは、シャフト４ｂのＮ極とＳ極の中間の位置に引っ張られるので、可動部３ｃは、中立保持部材２２ｃを介して、フォーカス方向の中立位置に浮上した状態で位置決め保持される。
【００６０】
光ピックアップ１ｃにおいて、磁性体からなるトラッキング方向位置決め用ヨーク２３ｃが、ヨーク基台６ｃに取付けられ、トラッキングコイル８と永久磁石１１とによる磁界に配置されている。
トラッキング方向位置決め用ヨーク２３ｃは、トラッキングコイル８の中心を向いて、中立保持部材２２ｃに一体的にまたは別体で固定されて、ヨーク部６ｃの構成部材になっている。トラッキング方向位置決め用ヨーク２３ｃは、ヨーク部６ｃ側に設けられているので移動動作は行わない。
トラッキング方向位置決め用ヨーク２３ｃを設けたので、トラッキングコイル８に電流を供給しないときは、永久磁石１１とトラッキング方向位置決め用ヨーク２３ｃは、両者間の磁力により互いに引っ張られる。これにより、可動部３ｃは、トラッキング方向の中立位置に位置決め保持される。
【００６１】
可動部３ｃは、シャフト４ｂと中立保持部材２２ｃとの間で作用する磁力により、空間に浮いている格好で保持されている。可動部３ｃは、中心軸線ＣＬ方向すなわちフォーカス方向への移動動作と、中心軸線ＣＬまわりに揺動してトラッキング方向に移動する移動動作とを行なって、可動部３ｃの位置を自在に変化させることができる。
可動部３ｃは、フォーカスコイル７ｃとトラッキングコイル８に電流が供給されていないときの中立位置（基本位置）から、フォーカスコイル７ｃとトラッキングコイル８の一方または両方に電流を供給することにより、フォーカス方向やトラッキング方向に移動することができる。
フォーカスコイル７ｃとトラッキングコイル８は、プリント配線板（図示せず）によって制御部（図示せず）に電気的に接続されている。
なお、光ピックアップ１ｃは、上述の光ピックアップ１と同じ光学系を有して同じ作用効果を奏する。
【００６２】
光ピックアップ１ｃの動作について説明すると、移動機構により光ピックアップ１ｃを所望の位置に移動させ、レーザー光を対物レンズ２で記録面上に集光させて、光ディスクに対して情報の記録，再生などを行う。
光ピックアップ１ｃの状態（可動部３ｃの位置，方向など）を制御する場合には、光ディスクの光信号を変換部で電気信号に変換し、この電気信号を制御部に出力する。制御部では、この電気信号に基づいて、フォーカスコイル７ｃに流す電流とトラッキングコイル８に流す電流をそれぞれ制御する。
対物レンズ２をフォーカス方向に移動させる場合には、制御部は、移動すべき方向および移動量に応じた制御電流をフォーカスコイル７ｃに供給する。すると、フォーカスコイル７ｃにより生じる電磁力により、可動部３ｃがフォーカス方向に移動して、対物レンズ２の位置を調整する。
同様に、トラッキングコイル８に供給する電流を制御すれば、トラッキングコイル８により生じる電磁力により、可動部３ｃがトラッキング方向に移動して、対物レンズ２の位置を調整する。
このようにして、可動部３ｃは、フォーカス方向，トラッキング方向にそれぞれ移動するようにその位置が制御される。
【００６３】
図６（Ａ）は、板状でドーナツ形の中立保持部材２２（または、２２ａ〜２２ｃ）を、シャフト４（または、４ｂ）に同心状に設けることにより、可動部３（または、３ａ〜３ｃ）をフォーカス方向の中立位置に位置決め保持する構成を示している。
図６（Ｂ），（Ｃ）は、トラッキング方向位置決め用ヨーク２３（または、２３ａ〜２３ｃ）を設けることにより、この位置決め用ヨーク２３（または、２３ａ〜２３ｃ）が、永久磁石１１の磁力によりそのＮ極とＳ極の間の中性点Ｐ2方向を向くように位置決め保持される状態を示している。
【００６４】
図７（Ａ），（Ｂ）は、永久磁石により形成されたマグネットリングを、中立保持部材２２，２２ａ〜２２ｃとして使用した変形例を示している。
この変形例では、シャフト４，４ａの磁力で、フォーカスコイルがシャフト４，４ａに対して相対的にフォーカス方向の中立位置に位置決め保持されるように、Ｎ極とＳ極を有する永久磁石からなる中立保持部材（マグネットリング）２２，２２ａ〜２２ｃをシャフト４，４ａの磁界に設けている。
このようにすれば、シャフト４，４ａと中立保持部材２２，２２ａ〜２２ｃとの間の磁力による反発力により、中立保持部材２２，２２ａ〜２２ｃは、シャフト４，４ａとは非接触を保ってその中性点Ｐ1の位置またはその近傍に浮いている状態で位置決め保持される。
こうして、中立保持部材２２，２２ａ〜２２ｃにマグネットリングを使用すれば、シャフト４，４ａと中立保持部材は反発し合っているので、両者間のクリアランスを均一に保つことができるとともに、移動時の摩擦抵抗はほとんどないので好ましい。
【００６５】
図８は、シャフト４，４ｂの全体を、その中心軸線ＣＬと直交する方向の一方側と他方側がそれぞれＮ極とＳ極の永久磁石とした場合を示している。図９は、シャフト４，４ｂの一部（たとえば、下半分）を、その中心軸線と直交する方向の一方側と他方側がそれぞれＮ極とＳ極の永久磁石とした場合を示している。
このように、図８に示す他の変形例と、図９に示すさらに他の変形例では、シャフト４，４ｂの全体または一部は、その中心軸線ＣＬと直交する方向の一方側と他方側をそれぞれＮ極とＳ極とした永久磁石である。
そして、シャフト対向コイルをなして可動部をトラッキング方向に移動させるためのトラッキングコイル８ａを、シャフト４，４ｂの外周に配置している。平面視で円形のシャフト４，４ｂの外周面に沿うために、トラッキングコイル８ａは平面視で半円形に形成されている。
このようにすれば、シャフト４，４ａとトラッキングコイル８ａとで構成される磁気回路により、可動部をトラッキング方向に移動させることができる。トラッキングコイル８ａに対する永久磁石をシャフト４，４ｂが兼用することになるので、トラッキングコイル用の永久磁石を別途設ける必要はない。
【００６６】
図８（Ａ），（Ｂ）は、シャフト４，４ｂとトラッキングコイル８ａを示しており、図８（Ｃ）は、シャフト４，４ｂの表面近傍の磁束を示している。
図８（Ｄ）に示すように、シャフト４，４ｂと同軸方向に巻き方向を有するように巻かれたトラッキングコイル８ａに電流を流すと、電流の流れる方向により、一方向の回転力Ｆa1または逆方向の回転力Ｆb1が発生する。これら回転力Ｆa1，Ｆb1により、可動部３，３ａ〜３ｃは、中心軸線ＣＬを中心として正方向または逆方向に回転して、トラッキング方向の調整がなされる。
【００６７】
図９は、シャフト４，４ｂとして多極マグネットシャフトを使用した場合を示している。このシャフト４，４ｂの一部（たとえば、上半分）は、その中心軸線ＣＬ方向の一方側と他方側がそれぞれＮ極とＳ極の永久磁石であり、また、シャフト４，４ｂの残りの部分（たとえば、下半分）は、その中心軸線ＣＬと直交する方向の一方側と他方側がそれぞれＮ極とＳ極の永久磁石である。すなわち、シャフト４，４ｂは、二種類の永久磁石を直線状につなぎ合わせた構造になっている。
このようにすれば、一本のシャフト４，４ｂの一部（たとえば、上半分）をフォーカスコイル７，７ａ〜７ｃに対向する永久磁石として使用し、シャフト４，４ｂの残りの部分（たとえば、下半分）を、トラッキングコイル８ａに対向する永久磁石として使用することができる。
その結果、このシャフト４，４ｂ以外に永久磁石を別途設ける必要性がなくなり、部品点数が減少して、光ピックアップをさらに小型軽量化できる。
【００６８】
上述のように、本発明では、可動部３，３ａ〜３ｃを支持するシャフト４，４ｂを有する光ピックアップ１，１ａ〜１ｃにおいて、シャフト４，４ｂは、可動部３，３ａ〜３ｃを支持するガイドとしての機能を発揮するとともに、可動部３，３ａ〜３ｃを移動させる駆動源である永久磁石としての機能も発揮する。
したがって、磁気回路を構成する永久磁石を別途設ける必要性をなくして部品点数を少なくするとともに、光ピックアップ全体を小型軽量化できる。その結果、小さい磁力で可動部３，３ａ〜３ｃを感度よく移動させることができ、また、可動部３，３ａ〜３ｃ，ヨーク部６，６ａ〜６ｃなどの剛性が向上し、周波数特性が改善されて追従性が良好になる。
【００６９】
以上、本発明の実施例（変形例を含む。以下同じ）を説明したが、本発明は、上述の実施例に限定されるものではなく、本発明の要旨の範囲で種々の変形，付加などが可能である。
なお、各図中同一符号は同一または相当部分を示す。
【産業上の利用可能性】
【００７０】
本発明は、ＤＶＤ，ＣＤなどの光ディスクの記録面上に対物レンズでレーザー光などを集光させて情報の記録，再生などを行う光ディスク装置に取付けられる光ピックアップに適用される。
【図面の簡単な説明】
【００７１】
【図１】図１ないし図９は本発明の実施例を示す図である。図１ないし図３（Ａ）は第１の実施例を示す図で、図１は光ピックアップの斜視図である。
【図２】図１に示す光ピックアップの平面図である。
【図３】図３（Ａ）は図２のIII−III線断面図である。図３（Ｂ）は、第１の実施例の変形例にかかる光ピックアップの断面図である。
【図４】図４（Ａ），（Ｂ）は、それぞれ第２の実施例，その変形例にかかる光ピックアップの断面図である。
【図５】本発明の原理を示す図である。
【図６】可動部を位置決めするための構成を示す図である。
【図７】可動部を位置決めするための変形例を示す図である。
【図８】シャフトとトラッキングコイルの他の変形例を示す図である。
【図９】さらに他の変形例にかかるシャフトまわりの分解斜視図である。
【符号の説明】
【００７２】
１，１ａ〜１ｃ  光ピックアップ
２              対物レンズ
３，３ａ〜３ｃ  可動部
４，４ｂ        シャフト
６，６ａ〜６ｃ  ヨーク部
７，７ａ〜７ｃ  フォーカスコイル（シャフト対向コイル）
８，８ａ        トラッキングコイル（シャフト対向コイル）
１２，１２ａ〜１２ｃ  巻回部
２２，２２ａ〜２２ｃ  中立保持部材
ＣＬ            中心軸線
【図１】
2006252595.tif 000003
【図２】
2006252595.tif 000004
【図３】
2006252595.tif 000005
【図４】
2006252595.tif 000006
【図５】
2006252595.tif 000007
【図６】
2006252595.tif 000008
【図７】
2006252595.tif 000009
【図８】
2006252595.tif 000010
【図９】
2006252595.tif 000011